(57)【要約】制御装置は、受信信号から分離された制御チャネル及びユーザチャネルのチャネル品質を測定する測定部と、測定部によるチャネル品質の測定結果に基づいて制御チャネル用の目標回線品質及びユーザチャネルの目標回線品質を更新する更新部と、所定周期で、更新された制御チャネル用の目標回線品質及びユーザチャネルの目標回線品質を通知する通知部と、通知部から通知された制御チャネル及びユーザチャネルの目標回線品質に基づいて制御チャネル及びユーザチャネルの全てが所要のチャネル品質を満たすように受信信号用の目標回線品質を決定する目標回線品質決定部とを具備する。制御チャネルのチャネル品質が所定条件を満たす場合、通知部は、少なくとも制御チャネル用の目標回線品質を通知し、目標回線品質決定部は、通知された制御チャネル用の目標回線品質に基づいて受信信号用の目標回線品質を決定する。
2004112282.tif 000002
【特許請求の範囲】
【請求項１】
受信信号から分離された制御チャネル及びユーザチャネルのチャネル品質を測定する測定部と、
前記測定部によるチャネル品質の測定結果に基づいて、前記制御チャネル用の目標回線品質及び前記ユーザチャネルの目標回線品質を更新する更新部と、
所定周期で、更新された前記制御チャネル用の目標回線品質及び前記ユーザチャネルの目標回線品質を通知する通知部と、
前記通知部から通知された前記制御チャネル及び前記ユーザチャネルの目標回線品質に基づいて、前記制御チャネル及び前記ユーザチャネルの全てが所要のチャネル品質を満たすように前記受信信号用の目標回線品質を決定する目標回線品質決定部とを具備し、
前記制御チャネルのチャネル品質が所定条件を満たす場合、前記通知部は、少なくとも前記制御チャネル用の目標回線品質を前記目標回線品質決定部に通知し、
前記目標回線品質決定部は、通知された前記制御チャネル用の目標回線品質に基づいて、前記受信信号用の目標回線品質を決定することを特徴とする制御装置。
【請求項２】
前記通知部は、前記所定周期よりも短い周期で、前記制御チャネルのチャネル品質と所定の閾値とを比較しており、該比較結果に基づいて、更新された前記制御チャネル用の目標回線品質を前記目標回線品質決定部に通知することを特徴とする請求項１に記載の制御装置。
【請求項３】
前記制御チャネルのチャネル品質が所定条件を満たす場合、前記通知部は、前記制御チャネル用の目標回線品質及び前記ユーザチャネル用の目標回線品質を前記目標回線品質決定部に通知し、
前記目標回線品質決定部は、通知された前記制御チャネル用の目標回線品質及び前記ユーザチャネル用の目標回線品質に基づいて、前記受信信号用の目標回線品質を決定することを特徴とする請求項１に記載の制御装置。
【発明の詳細な説明】
【技術分野】
【０００１】  本発明は、ＣＤＭＡ方式等を用いた無線通信システムにおいて送信電力制御方法を実施する制御装置及び無線通信方法に関する。
【背景技術】
【０００２】  従来、ＣＤＭＡ方式等を用いた無線通信システムにおいて、伝搬路変動が生じる場合であっても、受信機における受信電力が一定になるように、送信機における送信電力を制御する送信電力制御方法が知られている。【０００３】  第１の送信電力制御方法として、受信機が、測定した希望波対干渉波電力比（ＳＩＲ）と所望のＳＩＲとを比較し、比較結果に基づいて送信電力制御ビットを設定する閉ループ送信電力制御方法が知られている。【０００４】  また、第２の送信電力制御方法として、受信機が、測定した受信信号の受信誤り率と予め設定されている目標受信誤り率とを比較し、比較結果に基づいて目標ＳＩＲを補正し、補正された目標ＳＩＲに基づいて送信電力制御ビットを設定するアウターループ送信電力制御方法が知られている。【０００５】  また、第３の送信電力制御方法として、受信機が、受信信号に含まれるデータの中から最も高いデータ品質が要求されるデータを選択し、選択されたデータのデータ品質が満たされるように目標回線品質（目標ＳＩＲ）を制御する閉ループ送信電力制御方法が知られている。かかる閉ループ送信電力制御方法を用いることにより、異なるデータ品質が要求される複数のデータを同一チャネル上に多重する場合であっても、適切な送信電力制御を行うことができる。【０００６】  図１を参照して、上述の第３の送信電力制御方法を実施する無線通信システムについて説明する。図１に示す無線制御局では、無線制御局３が、主にアウターループ送信電力制御に係る機能を具備し、基地局２が、主に閉ループ送信電力制御に係る機能を具備する。【０００７】  図１に示すように、基地局２は、増幅部２１と、復調部２５と、変調部２２と、フレーム生成部２３と、パターン決定部２４と、ＳＩＲ測定部２６とから構成されている。【０００８】  増幅部２１は、移動局１からの受信信号を増幅して出力するものである。また、増幅部２１は、変調部２２から出力された拡散信号を所定出力に増幅して移動局１へ送信するものである。【０００９】  変調部２２は、フレーム生成部２３から出力された送信フレームに対してデータ変調処理及び拡散変調処理を施して、増幅部２１に出力するものである。【００１０】  フレーム生成部２３は、パターン決定部２４によって決定された送信電力制御ビットを送信すべきデータビットに付加し、送信フレームを形成するものである。【００１１】  パターン決定部２４は、ＳＩＲ測定部２６によって測定されたＳＩＲと、記憶している目標ＳＩＲとに基づいて、送信電力制御ビットのパターンを決定するものである。ここで、記憶されている目標ＳＩＲは、定期的に無線制御局３より通知される。【００１２】  復調部２５は、増幅部２１から出力された信号に対して逆拡散復調処理及びデータ復調処理を施して、ＳＩＲ測定部２６及び無線制御局３に出力するものである。ＳＩＲ測定部２６は、復調部２５から出力された信号に基づいてＳＩＲを測定するものである。【００１３】  無線制御局３は、トランスポートチャネル（ＴｒＣＨ）分離部３１と、チャネル（ＣＨ）品質測定部３２１〜３２ｎと、トランスポートチャネル用目標ＳＩＲ更新部３３１〜３３ｎと、目標ＳＩＲ決定部３４とから構成されている。【００１４】  トランスポートチャネル分離部３１は、基地局２の復調部２５から出力された信号から、複数のトランスポートチャネルを分離するものである。【００１５】  チャネル品質測定部３２１〜３２ｎは、分離された各トランスポートチャネルのチャネル品質を測定するものである。【００１６】  トランスポートチャネル用目標ＳＩＲ更新部３３１〜３３ｎは、チャネル品質測定部３２１〜３２ｎによって測定されたチャネル品質とトランスポートチャネル毎に予め設定されている目標チャネル品質とを比較して、各トランスポートチャネル用の目標ＳＩＲを更新するものである。【００１７】  また、トランスポートチャネル用目標ＳＩＲ更新部３３１〜３３ｎは、目標ＳＩＲ決定部３４によって通知された目標ＳＩＲに基づいて、各トランスポートチャネル用の目標ＳＩＲを更新する。【００１８】  目標ＳＩＲ決定部３４は、トランスポートチャネル毎に更新されているそれぞれの目標ＳＩＲを比較して、全てのトランスポートチャネルのチャネル品質を満足するような目標ＳＩＲを決定して基地局２に通知するものである。【００１９】  同時に、目標ＳＩＲ決定部３４は、決定した目標ＳＩＲを、各トランスポートチャネル用目標ＳＩＲ更新部３３１〜３３ｎに通知する。【００２０】  図１に示す従来の無線通信システムにおいて、無線制御局３の負荷を軽減する目的及び無線制御局３と基地局２との間の回線容量を減らす目的のために、無線制御局３が、リアルタイムではなく、所定周期ごとに、決定した目標ＳＩＲを基地局２に通知する場合がある。【００２１】  しかしながら、かかる従来の無線通信システムにおいて、ユーザトランスポートチャネルと制御トランスポートチャネルとが１つの信号に多重されている場合には、例えば、制御トランスポートチャネルにおいて受信誤りが発生した場合であっても、所定周期が到来するまでは目標ＳＩＲが改善されないため、所定周期が長い場合には、制御データが流れなくなり通信が成り立たない可能性があるという問題点があった。【００２２】  そこで、本発明は、以上の点に鑑みてなされたものであり、無線制御局が、リアルタイムではなく、所定周期ごとに、アウターループ送信電力制御における目標ＳＩＲを基地局に通知する場合において、最小限の無線制御局の負荷増大及び最小限の無線制御局と基地局との間の回線容量の増大で、適切な回線品質を維持することが可能となる制御装置及び無線通信方法を提供することを目的とする。
【発明の開示】
【００２３】  本発明の第１の特徴は、受信信号から分離された制御チャネル及びユーザチャネルのチャネル品質を測定する測定部と、前記測定部によるチャネル品質の測定結果に基づいて前記制御チャネル用の目標回線品質及び前記ユーザチャネルの目標回線品質を更新する更新部と、所定周期で、更新された前記制御チャネル用の目標回線品質及び前記ユーザチャネルの目標回線品質を通知する通知部と、前記通知部から通知された前記制御チャネル及び前記ユーザチャネルの目標回線品質に基づいて前記制御チャネル及び前記ユーザチャネルの全てが所要のチャネル品質を満たすように前記受信信号用の目標回線品質を決定する目標回線品質決定部とを具備し、前記制御チャネルのチャネル品質が所定条件を満たす場合、前記通知部が、少なくとも前記制御チャネル用の目標回線品質を前記目標回線品質決定部に通知し、前記目標回線品質決定部が、通知された前記制御チャネル用の目標回線品質に基づいて前記受信信号用の目標回線品質を決定する制御装置であることを要旨とする。
【００２４】  本発明の第１の特徴において、前記通知部が、前記所定周期よりも短い周期で、前記制御チャネルのチャネル品質と所定の閾値とを比較しており、該比較結果に基づいて、更新された前記制御チャネル用の目標回線品質を前記目標回線品質決定部に通知するように構成されていてもよい。
【００２５】  本発明の第１の特徴において、前記制御チャネルのチャネル品質が所定条件を満たす場合、前記通知部が、前記制御チャネル用の目標回線品質及び前記ユーザチャネル用の目標回線品質を前記目標回線品質決定部に通知し、前記目標回線品質決定部が、通知された前記制御チャネル用の目標回線品質及び前記ユーザチャネル用の目標回線品質に基づいて、前記受信信号用の目標回線品質を決定するように構成されていてもよい。
【図面の簡単な説明】
【００２６】［図１］従来技術に係る無線通信システムの構成を示す機能ブロック図である。
［図２］本発明の第１実施形態に係る無線通信システムの構成を示す機能ブロック図である。
［図３］本発明の第１実施形態に係る無線制御局の動作を示すフローチャートである。
［図４］本発明の第１実施形態における各トランスポートチャネル用の目標ＳＩＲの更新遷移を例示する遷移図である。
［図５］本発明の第１実施形態に係る基地局の動作を示すフローチャートである。
［図６］本発明の第２実施形態に係る無線制御局の構成を示す機能ブロック図である。
［図７］本発明の第２実施形態に係る無線制御局の動作を示すフローチャートである。
［図８］本発明の第２実施形態における各トランスポートチャネル用の目標ＳＩＲの更新遷移を例示する遷移図である。
【発明を実施するための最良の形態】
【００２７】［第１実施形態］
以下、図面を参照して、本発明の第１実施形態を詳細に説明する。図２は、本実施形態の無線通信システムの構成を示す機能ブロック図である。図２に示すように、本実施形態に係る無線通信システムは、移動局１と、基地局２と、無線制御局３とを具備している。【００２８】  図２に示すように、無線制御局３は、トランスポートチャネル（ＴｒＣＨ）分離部３１と、制御トランスポートチャネル（ＴｒＣＨ）品質測定部３５と、ユーザトランスポートチャネル（ＴｒＣＨ）品質測定部３５１〜３５ｎと、制御トランスポートチャネル（ＴｒＣＨ）用目標ＳＩＲ更新部３６と、ユーザトランスポートチャネル（ＴｒＣＨ）用ＳＩＲ更新部３６１〜３６ｎと、目標ＳＩＲ決定部３４と、制御トランスポートチャネル品質監視部３７と、目標ＳＩＲ通知制御部３８と、タイマ部３８ａとを具備する制御装置である。【００２９】  トランスポートチャネル分離部３１は、基地局２の復調部２５から出力された信号（受信信号）から、制御トランスポートチャネル及び複数のユーザトランスポートチャネルを分離するものである。【００３０】  ここで、制御トランスポートチャネルは、制御データを送信するための制御チャネルであり、ユーザトランスポートチャネルは、１種類のユーザデータを送信するためのユーザチャネルである。１つのトランスポートチャネルによって１種類のデータ（制御データ又はユーザデータ）が伝送され、複数のトランスポートチャネルが多重されて１つの信号で伝送される。【００３１】  制御トランスポートチャネル品質測定部３５は、トランスポートチャネル分離部３１によって分離された制御トランスポートチャネルのチャネル品質を測定するものである。【００３２】  ユーザトランスポートチャネル品質測定部３５１〜３５ｎは、トランスポートチャネル分離部３１によって分離されたユーザトランスポートチャネルのチャネル品質を測定するものである。【００３３】  本実施形態において、「チャネル品質」として、例えば、ＣＲＣ−ＮＧ数や、ブロックエラー数や、ビットエラー数等が利用される。なお、ＣＲＣは、トランスポートチャネルにおける受信品質が所定の条件を満たしているか否かについて報告する信号である。【００３４】  制御トランスポートチャネル用目標ＳＩＲ更新部３６は、制御トランスポートチャネル品質測定部３５によるチャネル品質（例えば、ＣＲＣ−ＮＧ数）の測定結果に基づいて、制御チャネル用の目標ＳＩＲ（目標回線品質）を更新するものである。【００３５】  具体的には、制御トランスポートチャネル用目標ＳＩＲ更新部３６は、制御トランスポートチャネル品質測定部３５によって測定されたチャネル品質と予め設定されている制御トランスポートチャネル用の目標チャネル品質とを比較して、制御トランスポートチャネル用の目標ＳＩＲを更新する。【００３６】  また、制御トランスポートチャネル用目標ＳＩＲ更新部３６は、目標ＳＩＲ決定部３４によって通知された目標ＳＩＲに基づいて、制御トランスポートチャネル用の目標ＳＩＲを更新する。【００３７】  例えば、制御トランスポートチャネル用目標ＳＩＲ更新部３６は、制御トランスポートチャネル品質測定部３５によって測定されたチャネル品質が制御トランスポートチ���ネル用の目標チャネル品質を満たしている場合には、制御トランスポートチャネル用の目標ＳＩＲを減少させる。【００３８】  一方、制御トランスポートチャネル用目標ＳＩＲ更新部３６は、制御トランスポートチャネル品質測定部３５によって測定されたチャネル品質が制御トランスポートチャネル用の目標チャネル品質を満たしていない場合には、制御トランスポートチャネル用の目標ＳＩＲを増加させる。【００３９】  また、制御トランスポートチャネル用目標ＳＩＲ更新部３６は、目標ＳＩＲ通知制御部３８からの指示に応じて、更新された制御トランスポートチャネル用の目標ＳＩＲを、目標ＳＩＲ決定部３４に通知する。【００４０】  ユーザトランスポートチャネル用目標ＳＩＲ更新部３６１〜３６ｎは、ユーザトランスポートチャネル品質測定部３５１〜３５ｎによるチャネル品質（例えば、ＣＲＣ−ＮＧ数）の測定結果に基づいて、各ユーザチャネル用の目標ＳＩＲ（目標回線品質）を更新するものである。【００４１】  具体的には、ユーザトランスポートチャネル用目標ＳＩＲ更新部３６１〜３６ｎは、ユーザトランスポートチャネル品質測定部３５１〜３５ｎによって測定されたチャネル品質と予め設定されているユーザトランスポートチャネル用の目標チャネル品質とを比較して、各ユーザトランスポートチャネル用の目標ＳＩＲを更新する。【００４２】  また、ユーザトランスポートチャネル用目標ＳＩＲ更新部３６１〜３６ｎは、目標ＳＩＲ決定部３４によって通知された目標ＳＩＲに基づいて、ユーザトランスポートチャネル用の目標ＳＩＲを更新する。【００４３】  例えば、ユーザトランスポートチャネル用目標ＳＩＲ更新部３６１〜３６ｎは、ユーザトランスポートチャネル品質測定部３５１〜３５ｎによって測定されたチャネル品質が各ユーザトランスポートチャネル用の目標チャネル品質を満たしている場合には、各ユーザトランスポートチャネル用の目標ＳＩＲを減少させる。【００４４】  一方、ユーザトランスポートチャネル用目標ＳＩＲ更新部３６１〜３６ｎは、ユーザトランスポートチャネル品質測定部３５１〜３５ｎによって測定されたチャネル品質が各ユーザトランスポートチャネル用の目標チャネル品質を満たしていない場合には、各ユーザトランスポートチャネル用の目標ＳＩＲを増加させる。【００４５】  また、ユーザトランスポートチャネル用目標ＳＩＲ更新部３６１〜３６ｎは、目標ＳＩＲ通知制御部３８からの指示に応じて、更新されたユーザトランスポートチャネル用の目標回線品質を、目標ＳＩＲ決定部３４に通知する。【００４６】  本実施形態では、「回線品質」として「ＳＩＲ」を用いる例について説明するが、本発明は、これに限定されることなく、例えば、「ＣＩＲ（搬送波対干渉電力比）」や「ＳＮＲ（希望波対雑音電力比）」や「ＣＮＲ（搬送波対雑音電力比）」等を用いる場合にも適応可能である。【００４７】  目標ＳＩＲ決定部３４は、制御トランスポートチャネル用目標ＳＩＲ更新部３６から通知された制御トランスポートチャネル用の目標ＳＩＲと、ユーザトランスポートチャネル用目標ＳＩＲ更新部３６１〜３６ｎから通知されたユーザトランスポートチャネル用の目標ＳＩＲとに基づいて、制御トランスポートチャネル��びユーザトランスポートチャネルの全てが所要のチャネル品質（目標チャネル品質）を満たすように、受信信号用の目標ＳＩＲを決定するものである。【００４８】  なお、目標ＳＩＲ決定部３４は、決定した受信信号用の目標ＳＩＲを、所定のタイミングで、基地局２に通知するように構成されている。また、目標ＳＩＲ決定部３４は、決定した受信信号用の目標ＳＩＲを、制御トランスポートチャネル用目標ＳＩＲ更新部３６及びユーザトランスポートチャネル用目標ＳＩＲ更新部３６１〜３６ｎに通知する。【００４９】  また、目標ＳＩＲ決定部３４が、制御トランスポートチャネル用の目標ＳＩＲ及び各ユーザトランスポートチャネル用の目標ＳＩＲの中から最も大きな値（最も高品質な値）を取る目標ＳＩＲを選択する場合、制御トランスポートチャネル及びユーザトランスポートチャネルの全てが目標チャネル品質を満足することができる。【００５０】  なお、目標ＳＩＲ決定部３４は、制御トランスポートチャネル用の目標ＳＩＲ及び各ユーザトランスポートチャネル用の目標ＳＩＲの中から最新の値等を取る目標ＳＩＲを選択するように構成されていてもよい。【００５１】  制御トランスポートチャネル品質監視部３７は、制御トランスポートチャネル品質測定部３５の測定を監視するものである。【００５２】  具体的には、制御トランスポートチャネル品質監視部３７は、制御トランスポートチャネル品質測定部３５によって測定された制御トランスポートチャネルのチャネル品質が、制御トランスポートチャネル用の目標チャネル品質を満足できなくなった時点で、目標ＳＩＲ通知制御部３８にその旨を通知するように構成されている。【００５３】  目標ＳＩＲ通知制御部３８は、所定周期（目標ＳＩＲ決定タイマによる計測時間）で、各トランスポートチャネル用目標ＳＩＲ更新部３６、３６１〜３６ｎに対して、現時点における各トランスポートチャネル用の目標ＳＩＲを目標ＳＩＲ決定部３４へ通知するように指示するものである。【００５４】  また、目標ＳＩＲ通知制御部３８は、制御トランスポートチャネル品質監視部３７からの通知を受信した場合、上述の所定周期でなくても、直ちに各トランスポートチャネル用目標ＳＩＲ更新部３６、３６１〜３６ｎに対して、現時点における各トランスポートチャネル用の目標ＳＩＲを目標ＳＩＲ決定部３４へ通知するように指示する。【００５５】  すなわち、制御トランスポートチャネル用目標ＳＩＲ更新部３６及びユーザトランスポートチャネル用目標ＳＩＲ更新部３６１〜３６ｎは、制御トランスポートチャネル品質監視部３７及び目標ＳＩＲ通知制御部３８からの指示によって、制御チャネルのチャネル品質が所定条件を満たす場合、所定周期よりも短い周期で、更新された制御チャネル用の目標回線品質及びユーザチャネルの目標回線品質を、目標ＳＩＲ決定部３４に通知するように構成されている。【００５６】  タイマ部３８ａは、目標ＳＩＲ決定タイマを具備しており、目標ＳＩＲ決定タイマが満了すると、上述の所定周期が到来したことを目標ＳＩＲ通知制御部３８に通知するものである。【００５７】  基地局２は、無線通信回線を介して移動局１との間で信号の送受信を行う装置である。具体的には、図２に示すように、基地局２は、増幅部２１と、変調部２２と、フレーム生成部２３と、パターン決定部２４と、復調部２５と、ＳＩＲ測定部２６とを具備している。【００５８】  増幅部２１は、移動局１からの受信信号を増幅して出力するものである。また、増幅部２１は、変調部２２から出力された拡散信号を所定出力に増幅して移動局１へ送信するものである。【００５９】  変調部２２は、フレーム生成部２３から出力された送信フレームに対してデータ変調処理及び拡散変調処理を施して、増幅部２１に出力するものである。【００６０】  フレーム生成部２３は、パターン決定部２４によって決定された送信電力制御ビットを送信すべきデータビットに付加し、送信フレームを形成するものである。【００６１】  パターン決定部２４は、ＳＩＲ測定部２６によって測定されたＳＩＲと、記憶している目標ＳＩＲとに基づいて、送信電力制御ビットのパターンを決定するものである。ここで、記憶されている目標ＳＩＲは、無線制御局３より通知される。【００６２】  復調部２５は、増幅部２１から出力された信号に対して逆拡散復調処理及びデータ復調処理を施して、ＳＩＲ測定部２６及び無線制御局３に出力するものである。ＳＩＲ測定部２６は、復調部２５から出力された信号に基づいてＳＩＲを測定するものである。【００６３】  なお、本実施形態における無線制御局３の機能は、基地局２に具備されていてもよい。【００６４】  以下、図３を参照して、本実施形態に係る無線制御局の動作について説明する。【００６５】  図３に示すように、ステップＳ１０１において、各トランスポートチャネル用目標ＳＩＲ更新部３６、３６１〜３６ｎが、初期目標ＳＩＲ値を設定する。ここで、設定される初期目標ＳＩＲ値は、予めパラメータによって、トランスポートチャネル毎に決定されている。【００６６】  ステップＳ１０２において、タイマ部３８ａが、所定周期を監視するために、目標ＳＩＲ決定タイマを起動する。【００６７】  ステップＳ１０３において、トランスポートチャネル分離部３１が、基地局２からの受信信号から、制御トランスポートチャネル及び各ユーザトランスポートチャネルを分離し、制御トランスポートチャネル品質測定部３５が、制御トランスポートチャネルのチャネル品質を測定し、ユーザトランスポートチャネル品質測定部３５１〜３５ｎが、各ユーザトランスポートチャネルのチャネル品質を測定する。【００６８】  ステップＳ１０４において、制御トランスポートチャネル用目標ＳＩＲ更新部３６が、測定された制御トランスポートチャネルのチャネル品質と、設定されている制御トランスポートチャネル用の目標チャネル品質とを比較して、制御トランスポートチャネル用の目標ＳＩＲを更新する。【００６９】  また、ユーザトランスポートチャネル用目標ＳＩＲ更新部３６１〜３６ｎが、測定された各ユーザトランスポートチャネルのチャネル品質と、設定されている各ユーザトランスポートチャネル用の目標チャネル品質とを比較して、各ユーザトランスポートチャネル用の目標ＳＩＲを更新する。【００７０】  ステップＳ１０５において、制御トランスポートチャネル品質監視部３７が、測定された制御トランスポートチャネルのチャネル品質が目標チャネル品質（所要のチャ���ル品質）を満たしているか否かについて判断する。【００７１】  満たしていると判断された場合（ステップＳ１０５における「Ｙ」の場合）、本動作はステップＳ１０６に進み、満たしていないと判断された場合（ステップＳ１０５における「Ｎ」の場合）、本動作はステップＳ１０７に進む。【００７２】  ステップＳ１０６において、目標ＳＩＲ通知制御部３８が、タイマ３８ａ内の目標ＳＩＲ決定タイマによる計測時間が満了しているか否かについて、すなわち、所定周期が到来したか否かについて判断する。【００７３】  満了したと判断された場合（ステップＳ１０６における「Ｙ」の場合）、本動作はステップＳ１０７に進み、満了していないと判断された場合（ステップＳ１０６における「Ｎ」の場合）、本動作はループ処理によりステップＳ１０３〜Ｓ１０６の処理を繰り返す。【００７４】  ステップＳ１０７において、目標ＳＩＲ通知制御部３８が、各トランスポートチャネル用目標ＳＩＲ更新部３６、３６１〜３６ｎに対して、現地点の各トランスポートチャネル用目標ＳＩＲを、直ちに目標ＳＩＲ決定部３４に通知するように指示する。目標ＳＩＲ決定部３４は、通知された各トランスポートチャネル用目標ＳＩＲに基づいて、全てのトランスポートチャネルのチャネル品質が所要のチャネル品質を満たすように受信信号用の目標ＳＩＲを決定する。【００７５】  ステップＳ１０８において、目標ＳＩＲ決定部３４は、決定した受信信号用の目標ＳＩＲを基地局２に通知すると共に、当該受信信号用の目標ＳＩＲを各トランスポートチャネル用目標ＳＩＲ更新部３６，３６１〜３６ｎに通知する。【００７６】  ステップＳ１０９において、各トランスポートチャネル用目標ＳＩＲ更新部３６，３６１〜３６ｎは、通知された目標ＳＩＲに基づいて、各トランスポートチャネル用の目標ＳＩＲを更新する。【００７７】  図４に、本実施形態における各トランスポートチャネルの目標ＳＩＲの更新遷移を例示する。なお、図４では、受信信号に、１つの制御トランスポートチャネル及び２つのユーザトランスポートチャネルが多重されている場合を示している。【００７８】  また、図４の例では、各トランスポートチャネル用目標ＳＩＲ更新部３６、３６１〜３６ｎが、各トランスポートチャネル品質測定部３５、３５１〜３５ｎから、測定されたチャネル品質としてＣＲＣ−ＯＫを受信すると、各トランスポートチャネル用の目標ＳＩＲを１ｄＢだけ減少させている。【００７９】  一方、各トランスポートチャネル用目標ＳＩＲ更新部３６、３６１〜３６ｎが、各トランスポートチャネル品質測定部３５、３５１〜３５ｎから、測定されたチャネル品質としてＣＲＣ−ＮＧを受信すると、各トランスポートチャネル用の目標ＳＩＲを１ｄＢだけ増加させている。【００８０】  また、各トランスポートチャネル用目標ＳＩＲ更新部３６、３６１〜３６ｎは、各トランスポートチャネル品質測定部３５、３５１〜３５ｎから、測定されたチャネル品質としてＣＲＣ−ＮＧを受信した場合、トランスポートチャネル毎に異なった増減幅や減少幅を設定するように構成されていてもよい。【００８１】  また、かかる場合、各トランスポートチャネル用目標ＳＩＲ更新部３６、３６１〜３６ｎは、増減幅及び各トランスポートチャネルの所要のチャネル品質に基づいて、減少幅を設定するように構成されていてもよい。【００８２】  （１）において、全てのトランスポートチャネル用の初期目標ＳＩＲとして１０ｄＢが設定されている。【００８３】  （２）において、目標ＳＩＲ決定タイマによる計測時間が満了すると、目標ＳＩＲ決定部３４が、現時点における全てのトランスポートチャネル用の目標ＳＩＲを比較して、最も高品質の目標ＳＩＲを、受信信号用の目標ＳＩＲとして決定する。【００８４】  ここで、制御トランスポートチャネルに対して、１つのＣＲＣ−ＯＫ及び１つのＣＲＣ−ＮＧが報告されているため、制御トランスポートチャネル用の目標ＳＩＲは、１０ｄＢのままである。【００８５】  また、ユーザトランスポートチャネル１に対して、３つのＣＲＣ−ＯＫが報告されている（ＣＲＣ−ＮＧは報告されていない）ため、ユーザトランスポートチャネル１用の目標ＳＩＲは、７ｄＢに減少されている。【００８６】  また、ユーザトランスポートチャネル２に対して、２つのＣＲＣ−ＯＫが報告されている（ＣＲＣ−ＮＧは報告されていない）ため、ユーザトランスポートチャネル２用の目標ＳＩＲは、８ｄＢに減少されている。【００８７】  したがって、目標ＳＩＲ決定部３４は、制御トランスポートチャネル用の目標ＳＩＲである１０ｄＢを受信信号用の目標ＳＩＲとして決定し、（３）において、基地局２に対して当該受信信号用の目標ＳＩＲ（＝１０ｄＢ）を通知する。【００８８】  また、目標ＳＩＲ決定部３４は、（４）において、かかる受信信号用の目標ＳＩＲ（＝１０ｄＢ）を、各トランスポートチャネル用目標ＳＩＲ更新部３６、３６１〜３６ｎにも通知する。各トランスポートチャネル用目標ＳＩＲ更新部３６、３６１〜３６ｎは、各トランスポートチャネル用の目標ＳＩＲを、通知された受信信号用の目標ＳＩＲ（＝１０ｄＢ）に更新する。【００８９】  （５）において、制御トランスポートチャネルのチャネル品質が目標チャネル品質を下回ったと仮定する。ここで、目標ＳＩＲ決定部３４が、現時点における全てのトランスポートチャネル用の目標ＳＩＲを比較して、最も高品質の目標ＳＩＲを、受信信号用の目標ＳＩＲとして決定する。【００９０】  図４の例では、制御トランスポートチャネル用の目標ＳＩＲ（＝１３ｄＢ）が最も高いため、制御トランスポートチャネル用の目標ＳＩＲが受信信号用の目標ＳＩＲとして決定され、（６）において、決定された受信信号用の目標ＳＩＲ（＝１３ｄＢ）が基地局２に通知される。【００９１】  また、（７）において、他のユーザトランスポートチャネル用の目標ＳＩＲは、基地局２に通知された受信信号用の目標ＳＩＲ（１３ｄＢ）に変更される。（７）において、目標ＳＩＲ決定タイマによる計測時間は未だ満了していないが、目標ＳＩＲ決定タイマはリセットされる。【００９２】  （８）において、目標ＳＩＲ決定タイマによる計測時間が満了すると、（２）と同様に、目標ＳＩＲ決定部３４が、現時点における全てのトランスポートチャネル用の目標ＳＩＲを比較して、最も高品質の目標ＳＩＲ（ユーザトランスポートチャネル１用の目標ＳＩＲ＝１２ｄＢ）を、受信信号用の目標ＳＩＲとして決定する。【００９３】  目標ＳＩＲ決定部３４は、（９）において、決定した受信信号用の目標ＳＩＲ（＝１２ｄＢ）を、基地局２へ通知すると同時に、（１０）において、各トランスポートチャネル用目標ＳＩＲ更新部３６、３６１〜３６ｎに対しても通知する。ここで、各トランスポートチャネル用の目標ＳＩＲは、基地局２に通知された受信信号用の目標ＳＩＲ（＝１２ｄＢ）に更新される。【００９４】  以下、図５を参照して、本実施形態に係る基地局２の動作について説明する。基地局２は、以下の動作を、所定のタイムスロットごとに実行するように構成されている。【００９５】  図５に示すように、ステップＳ１００１において、ＳＩＲ測定部２６が、増幅部２１において増幅されて復調部２５において復調処理を施された受信信号のＳＩＲを測定する。【００９６】  ステップＳ１００２において、パターン決定部２４が、ＳＩＲ測定部２６によって測定されたＳＩＲと、無線制御局３の目標ＳＩＲ決定部３４から通知された受信信号用の目標ＳＩＲとを比較する。【００９７】  ここで、パターン決定部２４は、無線制御局３から新しい目標ＳＩＲを受信するまでは、最も新しい目標ＳＩＲを維持している。【００９８】  測定されたＳＩＲが目標ＳＩＲを上回る場合（又は、測定されたＳＩＲが目標ＳＩＲ以上である場合）、ステップＳ１００３において、パターン決定部２４が、送信電力制御ビットに「送信電力を下げる」旨を示す下げ情報を挿入するように決定する。【００９９】  一方、測定されたＳＩＲが目標ＳＩＲを下回る場合（又は、測定されたＳＩＲが目標ＳＩＲ以下である場合）、ステップＳ１００４において、パターン決定部２４が、送信電力制御ビットに「送信電力を上げる」旨を示す上げ情報を挿入するように決定する。【０１００】  ステップＳ１００５において、フレーム生成部２３が、パターン決定部２４によって決定された送信電力制御ビットを、送信すべきデータビットに付加することによって、送信フレームを生成する。【０１０１】  ステップＳ１００６において、変調部２２が、フレーム生成部２３により生成された送信フレームに対して変調処理を施して、増幅部２１が、かかる送信フレームの送信電力を増幅して、移動局１に対して送信する。【０１０２】  本実施携帯によれば、無線制御局が、所定周期よりも短い周期で、制御トランスポートチャネルのチャネル品質を測定し、制御トランスポートチャネルのチャネル品質が目標チャネル品質を下回るようなときに、上述の所定周期に割り込んで、受信信号の目標ＳＩＲを決定して基地局２に通知するため、無線制御局の負荷の増大を最小限に留めるとともに、無線制御局と基地局との間の回線容量も最小限に留めることができ、適切な回線品質を維持することができる。【０１０３】［第２実施形態］
図６乃至図８を参照して、本発明の第２実施形態について、上述の第１実施形態との相違点を主として説明する。図６は、本実施形態に係る無線制御局３の構成を示すブロック図である。【０１０４】  本実施形態に係る無線制御局３は、上述の第１実施形態に係る無線制御局３の構成に加えて、記憶部３７ａを具備するように構成されている。ここで、記憶部３７ａは、制御トランスポートチャネル用のチャネル品質に係る所定の閾値を記憶するものである。【０１０５】  本実施形態に係る制御トランスポートチャネル品質監視部３７は、制御トランスポートチャネル品質測定タイマを有しており、制御トランスポートチャネル品質測定タイマによる計測時間内で、制御トランスポートチャネル品質測定部３５において測定された制御トランスポートチャネル用のチャネル品質（本実施形態では、ＣＲＣ−ＮＧ数）を監視するように構成されている。【０１０６】  ここで、制御トランスポートチャネル品質測定タイマによる計測時間は、目標ＳＩＲ決定タイマによる計測時間よりも短くなるように設定されている。【０１０７】  また、制御トランスポートチャネル品質監視部３７は、制御トランスポートチャネルのチャネル品質と所定の閾値とを比較する機能を具備している。【０１０８】  具体的には、制御トランスポートチャネル品質監視部３７は、制御トランスポートチャネル品質測定タイマによる計測時間内で、制御トランスポートチャネルにおいて受信したＣＲＣ−ＮＧ数が所定の閾値を超えると、制御トランスポートチャネル用目標ＳＩＲ更新部３６に対して、制御トランスポートチャネル用の目標ＳＩＲを増加させるように指示すると共に、目標ＳＩＲ通知制御部３８に対してその旨を通知するように構成されている。【０１０９】  目標ＳＩＲ通知制御部３８は、制御トランスポートチャネル品質監視部３７からの指示に応じて、所定周期が到来していない場合であっても、直ちに制御トランスポートチャネル用目標ＳＩＲ更新部３６に対して、現時点における制御トランスポートチャネル用の目標ＳＩＲを、目標ＳＩＲ決定部３４へ通知するように指示するように構成されている。【０１１０】  また、目標ＳＩＲ通知制御部３８は、制御トランスポートチャネル品質監視部３７からの指示に応じて、所定周期が到来していない場合であっても、直ちに各ユーザトランスポートチャネル用目標ＳＩＲ更新部３６１〜３６ｎに対しても、現時点における各ユーザトランスポートチャネル用の目標ＳＩＲを、目標ＳＩＲ決定部３４へ通知するように指示するように構成されていてもよい。【０１１１】  以下、図７を参照して、本実施形態に係る無線制御局の動作について説明する。【０１１２】  図７に示すように、ステップＳ２０１において、各トランスポートチャネル用目標ＳＩＲ更新部３６、３６１〜３６ｎが、初期目標ＳＩＲ値を設定する。ここで、設定される初期目標ＳＩＲ値は、予めパラメータによって、トランスポートチャネル毎に決定されている。【０１１３】  その後、本動作は、制御トランスポートチャネルに関するループ（Ｓ２０２〜Ｓ２０７）とユーザトランスポートチャネルに関するループ（Ｓ２０８〜Ｓ２１２）とに分かれる。【０１１４】  ユーザトランスポートチャネルに関する��ープでは、ステップＳ２０８において、タイマ部３８ａが、所定周期を監視するために、目標ＳＩＲ決定タイマを起動する。【０１１５】  ステップＳ２０９において、ユーザトランスポートチャネル品質測定部３５１〜３５ｎが、各ユーザトランスポートチャネルのチャネル品質を測定する。【０１１６】  ステップＳ２１０において、ユーザトランスポートチャネル用目標ＳＩＲ更新部３６１〜３６ｎが、測定された各ユーザトランスポートチャネルのチャネル品質と、設定されている各ユーザトランスポートチャネル用の目標チャネル品質とを比較して、各ユーザトランスポートチャネル用の目標ＳＩＲを更新する。【０１１７】  ステップＳ２１１において、目標ＳＩＲ通知制御部３８が、タイマ３８ａ内の目標ＳＩＲ決定タイマによる計測時間が満了しているか否かについて、すなわち、所定周期が到来したか否かについて判断する。【０１１８】  満了したと判断された場合（ステップＳ２１１における「Ｙ」の場合）、本動作はステップＳ２１２に進み、満了していないと判断された場合（ステップＳ２１１における「Ｎ」の場合）、本動作はループ処理によりステップＳ２０９〜Ｓ２１１の処理を繰り返す。【０１１９】  ステップＳ２１２において、目標ＳＩＲ通知制御部３８が、各ユーザトランスポートチャネル用目標ＳＩＲ更新部３６１〜３６ｎに対して、現地点の各ユーザトランスポートチャネル用目標ＳＩＲを、直ちに目標ＳＩＲ決定部３４に通知するように指示する。目標ＳＩＲ決定部３４は、通知された各ユーザトランスポートチャネル用目標ＳＩＲに基づいて、全てのユーザトランスポートチャネルのチャネル品質が所要のチャネル品質を満たすように受信信号用の目標ＳＩＲを決定する。【０１２０】  一方、制御用トランスポートチャネルに関するループでは、ステップＳ２０２において、制御トランスポートチャネル品質監視部３７が、制御トランスポート品質測定タイマを起動する。【０１２１】  ステップＳ２０３において、制御トランスポートチャネル品質測定部３５が、制御トランスポートチャネルのチャネル品質（ＣＲＣ−ＮＧ数）を測定する。【０１２２】  ステップＳ２０４において、制御トランスポートチャネル品質監視部３７が、制御トランスポート品質測定タイマによる計測時間が満了しているか否かについて判断する。【０１２３】  満了したと判断された場合（ステップＳ２０４における「Ｙ」の場合）、本動作はステップＳ２０５に進み、満了していないと判断された場合（ステップＳ２０４における「Ｎ」の場合）、本動作はループ処理によりステップＳ２０３〜Ｓ２０４の処理を繰り返す。【０１２４】  ステップＳ２０５において、制御トランスポートチャネル品質監視部３７が、制御トランスポートチャネル品質測定部３５により測定されたＣＲＣ−ＮＧ数が、記憶部３７ａに記憶されている所定の閾値（ＣＲＣ−ＮＧ数）を上回っているか否かについて判断する。【０１２５】  上回っていると判断された場合（ステップＳ２０５における「Ｙ」の場合）、本動作はステップＳ２０６に進む。一方、上回っていないと判断された場合（ステップＳ２０５における「Ｎ」の場合）、制御トランスポート品質測定タイマがリセットされて、本動作はステップＳ２０���に戻る。【０１２６】  ステップＳ２０６において、制御トランスポートチャネル品質監視部３７が、測定されたＣＲＣ−ＮＧ数が所定の閾値を上回っている旨を、制御トランスポートチャネル用目標ＳＩＲ更新部３６及び目標ＳＩＲ通知制御部３８に通知し、制御トランスポートチャネル用目標ＳＩＲ更新部３６が、制御トランスポートチャネル用の目標ＳＩＲを増加させる。【０１２７】  ステップＳ２０７において、目標ＳＩＲ通知制御部３８が、各トランスポートチャネル用目標ＳＩＲ更新部３６、３６１〜３６ｎに対して、現地点の各トランスポートチャネル用目標ＳＩＲを、直ちに目標ＳＩＲ決定部３４に通知するように指示する。目標ＳＩＲ決定部３４は、通知された各トランスポートチャネル用目標ＳＩＲに基づいて、全てのトランスポートチャネルのチャネル品質が所要のチャネル品質を満たすように受信信号用の目標ＳＩＲを決定する。【０１２８】  ステップＳ２１３において、目標ＳＩＲ決定部３４は、決定した受信信号用の目標ＳＩＲを基地局２に通知すると共に、当該受信信号用の目標ＳＩＲを各トランスポートチャネル用目標ＳＩＲ更新部３６，３６１〜３６ｎに通知する。【０１２９】  ステップＳ２１４において、各トランスポートチャネル用目標ＳＩＲ更新部３６，３６１〜３６ｎは、通知された目標ＳＩＲに基づいて、各トランスポートチャネル用の目標ＳＩＲを更新する。【０１３０】  図８を参照して、図４の例と同様の条件の下、本実施形態における各トランスポートチャネルの目標ＳＩＲの更新遷移を例示する。なお、図８の例では、所定の閾値を「２」とする。【０１３１】  （１）において、全てのトランスポートチャネル用の初期目標ＳＩＲとして１０ｄＢが設定されている。【０１３２】  （２）において、制御トランスポートチャネル品質測定タイマによる計測時間が満了しているが、制御トランスポートチャネル品質測定部３５により測定されたＣＲＣ−ＮＧ数が所定の閾値（「２」）を上回っていないため、特に何も行われない。【０１３３】  （３）において、目標ＳＩＲ決定タイマによる計測時間が満了したため、目標ＳＩＲ決定部３４が、現時点における全てのトランスポートチャネル用の目標ＳＩＲを比較して、最も高品質の目標ＳＩＲを、受信信号用の目標ＳＩＲとして決定する。【０１３４】  ここで、ユーザトランスポートチャネル１に対して、３つのＣＲＣ−ＯＫが報告されている（ＣＲＣ−ＮＧは報告されていない）ため、ユーザトランスポートチャネル１用の目標ＳＩＲは、７ｄＢに減少されている。【０１３５】  また、ユーザトランスポートチャネル２に対して、２つのＣＲＣ−ＯＫが報告されている（ＣＲＣ−ＮＧは報告されていない）ため、ユーザトランスポートチャネル２用の目標ＳＩＲは、８ｄＢに減少されている。【０１３６】  したがって、目標ＳＩＲ決定部３４は、ユーザトランスポートチャネル２用の目標ＳＩＲである８ｄＢを受信信号用の目標ＳＩＲとして決定し、（４）において、基地局２に対して当該受信信号用の目標ＳＩＲ（＝８ｄＢ）を通知する。【０１３７】  また、目標ＳＩＲ決定部３４は、（５）において、かかる受信信号用の目標ＳＩＲ（＝８ｄＢ）を、各トランスポートチャネル用目標ＳＩＲ更新部３６、３���１〜３６ｎにも通知する。各トランスポートチャネル用目標ＳＩＲ更新部３６、３６１〜３６ｎは、各トランスポートチャネル用の目標ＳＩＲを、通知された受信信号用の目標ＳＩＲ（＝８ｄＢ）に更新する。【０１３８】  なお、この時点では、制御トランスポートチャネル品質測定タイマによる計測時間は未だ完了していないが、制御トランスポートチャネル品質測定タイマはリセットされる。【０１３９】  （６）において、制御トランスポートチャネル品質測定タイマによる計測時間が満了し、制御トランスポートチャネル品質測定部３５により測定されたＣＲＣ−ＮＧ数が所定の閾値（「２」）を上回っているものと仮定する。【０１４０】  ここで、目標ＳＩＲ決定部３４は、全てのトランスポートチャネルのチャネル品質を満たすように、制御トランスポートチャネル用の目標ＳＩＲである９ｄＢを受信信号用の目標ＳＩＲと決定し、（７）において、基地局２に対して当該受信信号用の目標ＳＩＲ（＝９ｄＢ）を通知する。【０１４１】  なお、制御トランスポートチャネル品質測定部３５により測定されたＣＲＣ−ＮＧ数が所定の閾値（「２」）を上回っていると判断された際に、制御トランスポートチャネル用の目標ＳＩＲは、８ｄＢから９ｄＢに増加している。【０１４２】  また、目標ＳＩＲ決定部３４は、（８）において、かかる受信信号用の目標ＳＩＲ（＝９ｄＢ）を、各ユーザトランスポートチャネル用目標ＳＩＲ更新部３６１〜３６ｎにも通知する。各ユーザトランスポートチャネル用目標ＳＩＲ更新部３６１〜３６ｎは、各ユーザトランスポートチャネル用の目標ＳＩＲを、通知された受信信号用の目標ＳＩＲ（＝９ｄＢ）に更新する。【０１４３】  なお、この時点では、目標ＳＩＲ決定タイマによる計測時間は未だ完了していないが、目標ＳＩＲ決定タイマはリセットされる。【０１４４】  （９）において、制御トランスポートチャネル品質測定タイマによる計測時間が満了しているが、制御トランスポートチャネル品質測定部３５により測定されたＣＲＣ−ＮＧ数が所定の閾値（「２」）を上回っていないため、特に何も行われない。【０１４５】  （１０）において、目標ＳＩＲ決定部３４が、目標ＳＩＲ決定タイマによる計測時間が満了したため、現時点における全てのトランスポートチャネル用の目標ＳＩＲを比較して、最も高品質の目標ＳＩＲを、受信信号用の目標ＳＩＲとして決定する。【０１４６】  ここで、ユーザトランスポートチャネル１に対して、２つのＣＲＣ−ＯＫ及び１つのＣＲＣ−ＮＧが報告されているため、ユーザトランスポートチャネル１用の目標ＳＩＲは、８ｄＢに減少されている。【０１４７】  また、ユーザトランスポートチャネル２に対して、３つのＣＲＣ−ＯＫが報告されている（ＣＲＣ−ＮＧは報告されていない）ため、ユーザトランスポートチャネル２用の目標ＳＩＲは、６ｄＢに減少されている。【０１４８】  したがって、目標ＳＩＲ決定部３４は、ユーザトランスポートチャネル１用の目標ＳＩＲである８ｄＢを受信信号用の目標ＳＩＲとして決定し、（１１）において、基地局２に対して当該受信信号用の目標ＳＩＲ（＝８ｄＢ）を通知する。【０１４９】  また、目標ＳＩＲ決定部３４は、（１２）において、かかる受信信号用の目標Ｓ���Ｒ（＝８ｄＢ）を、各トランスポートチャネル用目標ＳＩＲ更新部３６、３６１〜３６ｎにも通知する。各トランスポートチャネル用目標ＳＩＲ更新部３６、３６１〜３６ｎは、各トランスポートチャネル用の目標ＳＩＲを、通知された受信信号用の目標ＳＩＲ（＝８ｄＢ）に更新する。【０１５０】  なお、この時点では、制御トランスポートチャネル品質測定タイマによる計測時間は未だ完了していないが、制御トランスポートチャネル品質測定タイマはリセットされる。【０１５１】  本実施形態によれば、制御トランスポートチャネル用目標ＳＩＲ更新部３６が、測定されたＣＲＣ−ＮＧ数が所定の閾値を越えたときに、制御トランスポートチャネル用の目標ＳＩＲを増加させ、直ちに制御トランスポートチャネル用の目標ＳＩＲに基づいて更新された受信信号用の目標ＳＩＲを基地局２に通知するため、制御トランスポートチャネルを流れる制御データ量が少ない場合であっても、制御トランスポートチャネルにおけるチャネル品質の劣化に対してリアルタイムに対応可能である。【０１５２】  以上、本発明を実施例により詳細に説明したが、当業者にとっては、本発明が本願中に説明した実施例に限定されるものではないということは明らかである。本発明の装置は、特許請求の範囲の記載により定まる本発明の趣旨及び範囲を逸脱することなく修正及び変更態様として実施することができる。従って、本願の記載は、例示説明を目的とするものであり、本発明に対して何ら制限的な意味を有するものではない。
産業上の利用の可能性【０１５３】  本発明によれば、無線制御局が、リアルタイムではなく、所定周期ごとに、アウターループ送信電力制御における目標ＳＩＲを基地局に通知する場合において、最小限の無線制御局の負荷増大及び最小限の無線制御局と基地局との間の回線容量の増大で、適切な回線品質を維持することが可能となる制御装置及び無線通信方法を提供することができる。
【図１】
2004112282.tif 000003
【図２】
2004112282.tif 000004
【図３】
2004112282.tif 000005
【図４】
2004112282.tif 000006
【図５】
2004112282.tif 000007
【図６】
2004112282.tif 000008
【図７】
2004112282.tif 000009
【図８】
2004112282.tif 000010
【国際調査報告】
2004112282.tif 000011
2004112282.tif 000012